(57)【要約】      （修正有）【課題】異なる対象及び場所に適用し、用を足すのに便利であり、且つ体積が小さく、携帯及び操作使用しやすい携帯型便器の構造を提供する。【解決手段】主に一つの便器１０、一つの組接ケース３０、一つの便槽４０、一つの汚取装置、一つの制御装置６０で構成する携帯型便器の構造である。便器の底部に一つの接続口を開設し、便器の片側に一つの電動バッフル部品を設ける。便槽は接続口に相対する部分に一つの開口を開設する。また、便槽は頂上側に一つの固定ブロック及び一つの弾性ストッパー部品を設け、弾性ストッパー部品は弾性的に便器の外周側に抵触することで、開口と接続口は互いに連通する。それにより、便を集める機能を具有し、且つ一般の人、児童或いは行動が不便な方が、１人でもトイレで用を足すことができる。【選択図】図１
0003215414.tif 000002
【実用新案登録請求の範囲】
【請求項１】
一つの便器、一つの組接ケース、一つの便槽、一つの汚取装置、一つの制御装置を含み、
該便器の底部に一つの接続口を開設し、且つ該便器の内周側に一つの穿孔を設け、
該組接ケースは該便器の底側に組設し、且つ該組接ケースの頂上側は該接続口に対応して一つの組接口を開設し、該組接ケースの片側に更に一つの挿接口を設け、
該便槽が該組接ケースの挿接口に対応して該組接ケースの中に挿設し、且つ該便槽は該接続口に相対する部分に一つの開口を開設し、また、該便槽の頂上側に一つの蓋閉部品を設け、
該汚取装置は該便器に組設し、且つ該便器の穿孔と接続し、及び、
該制御装置は該便器に組設し、且つ該汚取装置を制御することを特徴とする携帯型便器の構造である。
【請求項２】
更に一つの電動バッフル部品を含み、それを該便器の片側に組設し、且つ該電動バッフル部品は該制御装置と電気接続し、また、該電動バッフル部品は一つのバッフル及び一つの駆動モーターを具有し、該駆動モーターは該バッフルと接続し、該駆動モーターを該便器の片側に設け、該バッフルは該便器の接続口に枢設することを特徴とする請求項１記載の携帯型便器の構造である。
【請求項３】
前記該蓋閉部品は一つの固定ブロックを具有し、該固定ブロックは該便器の片側に対応して一つの制限槽を凹設し、該制限槽内に一つの弾性ストッパー部品を設け、該弾性ストッパー部品は少なくとも一つの弾性部品及び一つの蓋板を含み、該弾性部品の一端は該制限槽の底に抵触し、別端は該蓋板と接続することを特徴とする請求項１記載の携帯型便器の構造である。
【請求項４】
前記該便器の内周側は更に一つのスルーホールを通し、該スルーホールは一つの人体汚取部品を組設し、該人体汚取部品は該汚取装置と接続することを特徴とする請求項１記載の携帯型便器の構造である。
【請求項５】
前記該便器の外周側に更に一つの貯水槽を設け、該貯水槽の周側に一つの接続孔を設け、該便器の外側に更に一つのタンクを組設し、該タンクは少なくとも一つの給水管を通じて、該接続孔を接続することで、該タンクと該貯水槽は互いに連通することを特徴とする請求項２記載の携帯型便器の構造である。
【請求項６】
前記該汚取装置を該便器に組設し、且つ該貯水槽の片側に位置し、且つ該汚取装置は一つのポンプモーターを含み、該ポンプモーターは該貯水槽の片側に組設し、且つ該制御装置と電気接続し、また、該ポンプモーターは少なくとも一つの接続管を通じて、それぞれ該貯水槽及び該便器に連通し、該汚取装置は該接続管が便器と接続する一端に一つのフラッシュノズルを接続することを特徴とする請求項５記載の携帯型便器の構造である。
【請求項７】
前記該便器の外側に更に一つのタンク及び該汚取装置を組設し、且つ該汚取装置に含まれるのは一つのポンプモーターであり、該ポンプモーターを該便器の片側に組設し、且つ該制御装置と電気接続し、該タンクは少なくとも一つの給水管を通じて、該便器の穿孔と接続し、該汚取装置は該給水管と接続する該便器の一端に一つのフラッシュノズルを設けることを特徴とする請求項２記載の携帯型便器の構造である。
【請求項８】
更に一つの外付け部品を含み、該外付け部品は一つの組立部品及び一つの容器を含み、該組立部品を該便器の片側に設け、且つ該容器及び該便器と接続し、同時に該汚取装置は一つのポンプモーターを含み、該ポンプモーターは該便器の外側に組設し、且つ該制御装置と電気接続し、該外付け部品は少なくとも一つの給水管を通じて、該便器の穿孔と接続し、該汚取装置と該給水管は該便器と接続する一端に一つのフラッシュノズルを設けることを特徴とする請求項２記載の携帯型便器の構造である。
【請求項９】
前記該便器の頂部に一つの蓋を枢設し、且つ該蓋の片側に一つの密閉リングを設け、該密閉リング及び該蓋は完全に密封し、且つ該便器を蓋合することを特徴とする請求項１記載の携帯型便器の構造である。
【請求項１０】
前記該便器は中空構造であり、該便器の中空構造の中に一つの該貯水槽を形成することを特徴とする請求項１記載の携帯型便器の構造である。
【考案の詳細な説明】
【技術分野】
【０００１】
本考案は一種の便器の構造に関し、特に携帯型便器の構造に関する。
【背景技術】
【０００２】
現代社会の交通手段が発展進歩している中、様々な交通手段において、自動車は最も機動性が高く、人々は自ら運転して目的地に行くことができる。しかし、その道中にトイレに行きたくても見つからない、或いは渋滞に巻き込まれて、いつでも車を止めてトイレに行くことができないなど、ドライバー或いは乗客は我慢するしかなく、長時間我慢すると、膀胱に負担がかかり、健康を害することになる。
【０００３】
上述で分かるように、特に交通運輸業者のほか、尚も多くの人(例えば身体障害者)が用を足すのが困難とする状況がある。多くの建物は規定に基づき、トイレ及びスロープなど身体障害者が使用できる施設を増設していないため、車椅子で行動する身体障害者の方々にとって、大変不便である。
【０００４】
また、社会が進歩し、娯楽産業が発達する状況において、人々が公共の場に出入りする機会がますます増える。一旦公共の場に出入りすると、トイレの問題は避けることができない。しかし、公共トイレの清潔衛生面においては、目を覆いたくなる。特に公設トイレでは、ユーザーが不衛生な便器に直に座って排尿するのであれば、人々は清潔なトイレを見つけるまで我慢することが多い。
【０００５】
この他、人々が野外にハイキング、旅行中に、尿をもよおすと、排尿の習慣は、実に大変解決しにくい問題であり、人々は我慢してトイレを見つける。よって、次第にユーザーの体に大変なダメージを与えることを鑑みて、本考案を案出した。
【先行技術文献】
【特許文献】
【０００６】
【特許文献１】特開2017-18198号公報
【考案の概要】
【考案が解決しようとする課題】
【０００７】
前記公知構造の欠点を解決するため、本考案は異なる対象及び場所に適用し、用を足すのに便利である。且つ体積が小さく、携帯及び操作使用しやすい、ユーザーに最良の実用性及び携帯の便利性を与える携帯型便器を提供することを主な課題とする。
【課題を解決するための手段】
【０００８】
上述の目的を解決するために、本考案は携帯型便器の構造を提供するものである。それに含まれるのは一つの便器、一つの組接ケース、一つの便槽、一つの汚取装置及び一つの制御装置である。該便器の底部に一つの接続口を開設し、且つ該便器の内周側に一つの穿孔を設ける。該組接ケースは該便器の底側に組設し、且つ該組接ケースの頂上側は該接続口に対応して一つの組接口を開設し、該組接ケースの片側に更に一つの挿接口を設ける。該便槽が該組接ケースの挿接口に対応して該組接ケースの中に挿設し、且つ該便槽は該接続口に相対する部分に一つの開口を開設する。また、該便槽の頂上側に一つの蓋閉部品を設ける。該汚取装置は該便器に組設し、且つ該便器の穿孔と接続する。及び該制御装置は該便器に組設し、且つ該汚取装置を制御する。
【０００９】
最良実施例として、更に一つの電動バッフル部品を含み、それを該便器の片側に組設し、且つ該電動バッフル部品は該制御装置と電気接続する。また、該電動バッフル部品は一つのバッフル及び一つの駆動モーターを具有し、該駆動モーターは該バッフルと接続し、該駆動モーターを該便器の片側に設け、該バッフルは該便器の接続口に枢設する。
【００１０】
最良実施例として、該蓋閉部品は該便器の片側に対応して一つの制限槽を凹設し、該制限槽内に一つの弾性ストッパー部品を設ける。該弾性ストッパー部品は少なくとも一つの弾性部品及び一つの蓋板を含み、該弾性部品の一端は該制限槽の底に抵触し、別端は該蓋板と接続する。
【００１１】
最良実施例として、その中該便器の内周側は更に一つのスルーホールを通し、該スルーホールは一つの人体汚取部品を組設し、該人体汚取部品は該汚取装置と接続する。
【００１２】
最良実施例として、該便器の外周側に更に一つの貯水槽を設け、該貯水槽の周側に一つの接続孔を設け、該便器の外側に更に一つのタンクを組設し、該タンクは少なくとも一つの給水管を通じて、該接続孔を接続することで、該タンクと該貯水槽は互いに連通する。
【００１３】
最良実施例として、その中該汚取装置を該便器に組設し、且つ該貯水槽の片側に位置し、且つ該汚取装置は一つのポンプモーターを含み、該ポンプモーターは該貯水槽の片側に組設し、且つ該制御装置と電気接続する。また、該ポンプモーターは少なくとも一つの接続管を通じて、それぞれ該貯水槽及び該便器に連通し、該汚取装置は該接続管が便器と接続する一端に一つのフラッシュノズルを接続する。
【００１４】
最良実施例として、その中該便器の外側に更に一つのタンク及び該汚取装置を組設し、且つ該汚取装置に含まれるのは一つのポンプモーターであり、該ポンプモーターを該便器の片側に組設し、且つ該制御装置と電気接続する。該タンクは少なくとも一つの給水管を通じて、該便器の穿孔と接続し、該汚取装置は該給水管と接続する該便器の一端に一つのフラッシュノズルを設ける
【００１５】
最良実施例として、その中更に一つの外付け部品を含み、該外付け部品は一つの組立部品及び一つの容器を含む。該組立部品を該便器の片側に設け、且つ該容器及び該便器と接続し、同時に該汚取装置は一つのポンプモーターを含み、該ポンプモーターは該便器の外側に組設し、且つ該制御装置と電気接続する。該外付け部品は少なくとも一つの給水管を通じて、該便器の穿孔と接続し、該汚取装置と該給水管は該便器と接続する一端に一つのフラッシュノズルを設ける
【００１６】
最良実施例として、その中該便器の頂部に一つの蓋を枢設し、且つ該蓋の片側に一つの密閉リングを設け、該密閉リング及び該蓋は完全に密封し、且つ該便器を蓋合する。
【００１７】
最良実施例として、その中該便器は中空構造であり、該便器の中空構造の中に一つの該貯水槽を形成する。
【００１８】
本考案が提供する携帯型便器は、主に該便槽を該組接ケースの中に挿設し、及び該弾性ストッパー部品は弾性的に該便器底部の外周側に抵触し、同時に該制御装置と電気接続して該電動バッフル部品の開合を操作制御することに合わせて、該便器と該便槽の連通を操作制御する。この他、使用する際、ユーザーはまず該制御器を通じて該移動シート部品を操作制御し、該便器に対応して排泄を行うことができる。そして該制御器を利用して、該電動バッフル部品を操作制御することで、排泄物を便器に落とし、同時に該汚取装置で該便器を洗うことで、排泄物の匂いを消す。
【００１９】
よって、本考案は便を集める機能を具有し、また排泄物の匂いを拡散しにくい。且つ一般の人、児童或いは行動が不便な方が、１人でもトイレで用を足すことができる。よって、本考案は異なる対象及び場所に適用し、用を足すのに便利であり、且つ体積が小さく、携帯及び操作使用しやすく、ユーザーに最良の実用性及び携帯の便利性を提供する。
【考案の効果】
【００２０】
本考案の構造により、便を集める機能を具有し、且つ一般の人、児童或いは行動が不便な方が、１人でもトイレで用を足すことができる。よって、本考案は異なる対象及び場所に適用し、用を足すのに便利であり、且つ体積が小さく、携帯及び操作使用しやすく、ユーザーに最良の実用性及び携帯の便利性を提供する。
【図面の簡単な説明】
【００２１】
【図１】本考案の第一実施例の立体図である。
【図２】本考案の第一実施例の断面図である。
【図３】本考案の第一実施例の動作略図である。
【図４】本考案の第一実施例の動作略図である。
【図５】本考案の第一実施例の使用略図である。
【図６】本考案の第一実施例の使用略図である。
【図７】本考案の第二実施例の立体図である。
【図８】本考案の第三実施例の立体図である。
【図９】本考案の第四実施例の断面図である。
【図１０】本考案の第五実施例の使用略図である。
【考案を実施するための形態】
【００２２】
以下、本考案の構造と特徴および効果を、最良実施例と図面を参照しながら詳細に説明する。
【実施例１】
【００２３】
図１及び図２に示すのは、本考案の第一実施例の立体図及び断面図である。一種の携帯型便器であり、該携帯型便器に含まれるのは一つの便器１０、一つの電動バッフル部品２０、一つの組接ケース３０、一つの便槽４０、一つの汚取装置５０、一つの制御装置６０である。
【００２４】
該便器１０の頂部に一つの蓋１８を枢設し、該蓋１８の片側に一つの密閉リング１８１を設ける。該密閉リング１８１及び該蓋１８は完全に密封し、且つ該便器１０を蓋合する。また、該便器１０の底部に一つの接続口１１を開設し、且つ該便器１０の内周側に一つの穿孔１２及び一つのスルーホール１３を設ける。本実施例において、該便器１０の外周側に更に一つの貯水槽１５を設け、該貯水槽１５の周側に一つの接続孔１４を設け、便器１０の外側に更に一つのタンク１６を組設し、該タンク１６は少なくとも一つの給水管１６１を通じて、該接続孔１４を接続することで、該タンク１６と該貯水槽１５は互いに連通する。
【００２５】
一つの電動バッフル部品２０を該便器１０の片側に組設し、且つ該制御装置６０は該電動バッフル部品２０と電気接続し、バッフル２１と接続口１１の開合を制御操作する。また、該電動バッフル部品２０は一つのバッフル２１及び一つの駆動モーター２２を具有し、該駆動モーター２２は該バッフル２１と接続する。該駆動モーター２２を該便器１０の片側に設け、該バッフル２１は該便器１０の接続口１１に枢設する。  
【００２６】
一つの組接ケース３０は該便器１０の底側に組設し、且つ該組接ケース３０の頂上側は該接続口１１に対応して一つの組接口３１を開設する。該組接ケース３０の片側に更に一つの挿接口３２を設ける。本実施例において、該組接口３１は該便器１０の接続口１１と互いに連通する。
【００２７】
引き続き図３及び図４に示すように、一つの便槽４０の外側に一つの取っ手４１を設け、該便槽４０が該組接ケース３０の挿接口３２に対応して該組接ケース３０の中に挿設することができる。また、該便槽４０は該接続口１１に相対する部分に一つの開口４２を開設し、該便槽４０の頂上側に一つの蓋閉部品４３を設ける。本実施例において、該蓋閉部品４３は一つの固定ブロック４３１を具有し、該固定ブロック４３１は該便器１０の片側に対応して一つの制限槽４３２を凹設する。該制限槽４３２内に一つの弾性ストッパー部品４４を設け、該弾性ストッパー部品４４は少なくとも一つの弾性部品４４１及び一つの蓋板４４２を含む。該弾性部品４４１の一端は該制限槽４３２の底に抵触し、別端は該蓋板４４２と接続する。
【００２８】
一つの汚取装置５０は該便器１０に組設し、且つ該便器１０の穿孔１２と接続する。本実施例において、該汚取装置５０を該便器１０に組設し、且つ該貯水槽１５の片側に位置する。且つ該汚取装置５０は一つのポンプモーター５１を含み、該ポンプモーター５１は該貯水槽１５の片側に組設し、且つ該制御装置６０と電気接続する。また、該ポンプモーター５１は複数の接続管５２を通じて、それぞれ該貯水槽１５及び該便器１０に連通し、該汚取装置５０は該接続管５１が便器１０と接続する一端に一つのフラッシュノズル５３を接続する。
【００２９】
また、該汚取装置５０は一つの人体汚取部品５４と接続し、該人体汚取部品５４は該便器１０の内周側のスルーホール１３に組設する。同時に該人体汚取部品５４は人体の臀部を清潔にする機能を提供し、且つ人体汚取部品５４の噴水する方向は、該フラッシュノズル５３と反対方向である。また、該人体汚取部品５４は更に水温を制御する機能を具有し、噴出する水温をより人体の体温に近づけ、人体に不快感を与えない。
【００３０】
一つの制御装置６０は該便器１０に組設し、且つ該汚取装置を制御する。本実施例において、該制御装置６０は該電動バッフル部品２０及び該汚取装置５０と電気接続する。
【００３１】
更に本考案の構造特徴及び技術手段の運用、及び予期する効果に達するために、下記のように本考案の使用方法をより詳細に記述し、本考案をより具体的に理解することができる。
【００３２】
図３及び図４、図５及び図６に示すのは、本考案の第一実施例の動作略図及び使用略図である。その中、ユーザーは該便槽４０を該組接ケース３０の中に挿設することができる。図３及び図４の動作略図に示すように、その中で該弾性ストッパー部品４４は弾性的に該便器１０の底部の外周側に抵触し、且つ同時に該制御装置６０と電気接続して該電動バッフル部品２０の開合を操作制御することに合わせて、該便器１０と該便槽４０の連通を操作制御する。よって使用する状態において、図５及び図６に示すように、ユーザーは該便器１０に対応して排泄をすることができる。そして該制御装置６０を利用して該電動バッフル部品２０を操作制御することで、排泄物を便器１０に落とすと同時に、該汚取装置５０により、該便器１０を洗うため、排泄物の匂いを消す。また、ユーザーが排泄行為を終えると、該制御装置６０を操作制御することにより、更に該人体汚取部品５４を駆動し、ユーザーの臀部を清潔にすることができる。また、引き続き図６に示すように、該便槽４０が排泄物で一杯になった際、ユーザーは該便槽４０を該組接ケース３０の中から引っ張り出して、該便槽４０を掃除することができる。
【００３３】
よって、本考案は便を集める機能を具有し、且つ排泄物の匂いを拡散しにくい。且つ一般の人、児童或いは行動が不便な方が、１人でもトイレで用を足すことができる。よって、本考案は異なる対象及び場所に適用し、用を足すのに便利であり、且つ体積が小さく、携帯及び操作使用しやすく、ユーザーに最良の実用性及び携帯の便利性を提供する。
【実施例２】
【００３４】
引き続き図７に示すのは、本考案の第二実施例の立体図である。本実施例を第一実施例と比べ、異なる部分は、該便器１０に該貯水槽１５を設置していない部分である。本実施例において、該便器１０の外側に、同様に一つのタンク１６を組設し、該汚取装置５０を該便器１０の片側に組設する。且つ該汚取装置５０のポンプモーター５１を該便器１０の片側に組設し、該ポンプモーター５１は該制御装置６０と電気接続する。よって、本実施例は同じく第一実施例と相同する効果に達することができる。
【実施例３】
【００３５】
図８に示すのは、本考案の第三実施例の立体図である。本実施例を第一実施例と比べ、異なる部分は、該便器１０の外周側に該貯水槽１５及び該タンク１６を設置していない部分である。本実施例において、更に一つの外付け部品１７を含み、該外付け部品１７は一つの組立部品１７１及び一つの容器１７２を含む。該組立部品１７１を該便器１０の片側に設け、且つ該容器１７２及び該便器１０と接続する。同時に該汚取装置５０は一つのポンプモーター５１を含む。該ポンプモーター５１は該便器１０の外部に組設し、且つ該制御装置６０と電気接続する。該外付け部品１７は少なくとも一つの給水管１６１を通じて、該便器１０の穿孔１２と接続する。該汚取装置５０と該給水管１６１は該便器１０と接続する一端に一つのフラッシュノズル５３を設ける。また、本実施例において、該容器１７２はボトル状容器或いはタル状容器とする。よって、本実施例は同じく第一実施例と相同する効果に達することができる。
【実施例４】
【００３６】
図９に示すのは、本考案の第四実施例の断面図である。本実施例を第一実施例と比べ、異なる部分は、該便器１０の外周側に該タンク１６を設置していない部分であり、且つ該便器１０は中空構造である。該便器１０の中空構造の中に該貯水槽１５を形成する。また、該便器１０の外側に一つの注水孔１９を設置し、該注水孔１９は該貯水槽１５と互いに連通する。該注水孔１９はユーザーが該便器１０に補充及び注水するのに用いる。よって、本実施例は第一実施例と同じく、便を集める効果に達することができ、排泄物の匂いを拡散しにくい。且つ一般の人、児童或いは行動が不便な方が、１人でもトイレで用を足すことができる。この他、本実施例は同じく、ユーザーに最良の実用性及び携帯の便利性を提供する。
【実施例５】
【００３７】
図１０に示すのは、本考案の第五実施例の立体図である。本実施例を第一実施例と比べ、異なる部分は、本考案の携帯型便器は一つの電動車椅子７０或いは一つの車椅子に組設することができる。本実施例では、まず電動車椅子７０を例に挙げ、且つ該制御装置６０は該電動車椅子７０の一つの制御器７１と電気接続する。よって、行動が不便な方が使用する際、まず該制御器７１を通じて操作制御することができ、該便器１０に対応して排泄を行うことができる。そして該制御器７１を利用して該電動バッフル部品２０を操作制御することで、排泄物を便器１０に落とすと同時に、該汚取装置５０と合わせて該便器１０を洗い、排泄物の匂いを消す。よって、本実施例は、行動が不便な方が１人でも用を足し、及び臀部を清潔にすることができ、最良の安全性、使用時の衛生面、外出時の便利性及び実用性の効果を具有する。
【００３８】
これにより、本考案の特徴及び達成できる予期の効果を下記のように陳述する：
【００３９】
本考案の携帯型便器は、主に該便槽４０を該組接ケースの中に挿設し、及び該弾性ストッパー部品４４は弾性的に該便器１０の外周側に抵触し、同時に該制御装置６０と電気接続して該電動バッフル部品２０の開合を操作制御することに合わせて、該便器１０と該便槽４０の連通を操作制御する。この他、使用する際、ユーザーは該便器１０に対応して排泄する。そして、該制御装置６０を利用して該電動バッフル部品２０を操作制御することで、排泄物を便器１０に落とすと同時に、該汚取装置５０が該便器１０を洗い、排泄物の匂いを消す。それにより、本考案は便を集める機能を具有し、また排泄物の匂いを拡散しにくく、且つ一般の人、児童或いは行動が不便な方が、１人でもトイレで用を足すことができる。よって、本考案は異なる対象及び場所に適用し、用を足すのに便利であり、且つ体積が小さく、携帯及び操作使用しやすく、ユーザーに最良の実用性及び携帯の便利性を提供する。
【００４０】
以上の実施例による本考案の詳細な説明は本考案の範囲を制限するものではない。本技術に熟知する者が、本考案の範囲内にて行う変更や調整を行っても、本考案の重要な意義は失われず、本考案の範囲に含まれる。
【符号の説明】
【００４１】
１０   便器 
１１   接続口
１２  穿孔
１３  スルーホール
１４  接続孔
１５  貯水槽
１６  タンク 
１６１  給水管
１７   外付け部品
１７１  組立部品
１７２  容器 
１８  蓋
１８１  密閉リング
１９  注水孔
２０  電動バッフル部品
２１  バッフル
２２  駆動モーター
３０   組接ケース
３１  組接口
３２  挿接口
４０  便槽
４１  取っ手
４２  開口 
４３   蓋閉部品
４３１  固定ブロック
４３２ 制限槽 
４４  弾性ストッパー部品
４４１  弾性部品
４４２ 蓋板
５０  汚取装置
５１  ポンプモーター
５２  接続管
５３  フラッシュノズル
５４  人体汚取部品
６０  制御装置
７０  電動車椅子
７１  制御器
【図１】
0003215414.tif 000003
【図２】
0003215414.tif 000004
【図３】
0003215414.tif 000005
【図４】
0003215414.tif 000006
【図５】
0003215414.tif 000007
【図６】
0003215414.tif 000008
【図７】
0003215414.tif 000009
【図８】
0003215414.tif 000010
【図９】
0003215414.tif 000011
【図１０】
0003215414.tif 000012
【手続補正書】
【提出日】平成30年1月18日(2018.1.18)
【手続補正１】
【補正対象書類名】実用新案登録請求の範囲
【補正対象項目名】全文
【補正方法】変更
【補正の内容】
【実用新案登録請求の範囲】
【請求項１】
一つの便器、一つの組接ケース、一つの便槽、一つの汚取装置、一つの制御装置を含み、
該便器の底部に一つの接続口を開設し、且つ該便器の内周側に一つの??孔を設け、
該組接ケースは該便器の底側に組設し、且つ該組接ケースの頂上側は該接続口に対応して一つの組接口を開設し、該組接ケースの片側に更に一つの挿接口を設け、
該便槽が該組接ケースの挿接口に対応して該組接ケースの中に挿設し、且つ該便槽は該接続口に相対する部分に一つの開口を開設し、また、該便槽の頂上側に一つの蓋閉部品を設け、
該汚取装置は該便器に組設し、且つ該便器の??孔と接続し、及び、
該制御装置は該便器に組設し、且つ該汚取装置を制御することを特徴とする携帯型便器。
【請求項２】
更に一つの電動バッフル部品を含み、それを該便器の片側に組設し、且つ該電動バッフル部品は該制御装置と電気接続し、また、該電動バッフル部品は一つのバッフル及び一つの駆動モーターを具有し、該駆動モーターは該バッフルと接続し、該駆動モーターを該便器の片側に設け、該バッフルは該便器の接続口に枢設することを特徴とする請求項１記載の携帯型便器。
【請求項３】
前記蓋閉部品は一つの固定ブロックを具有し、該固定ブロックは該便器の片側に対応して一つの制限槽を凹設し、該制限槽内に一つの弾性ストッパー部品を設け、該弾性ストッパー部品は少なくとも一つの弾性部品及び一つの蓋板を含み、該弾性部品の一端は該制限槽の底に抵触し、別端は該蓋板と接続することを特徴とする請求項１記載の携帯型便器。
【請求項４】
前記便器の内周側は更に一つのスルーホールを通し、該スルーホールは一つの人体汚取部品を組設し、該人体汚取部品は該汚取装置と接続することを特徴とする請求項１記載の携帯型便器。
【請求項５】
前記便器の外周側に更に一つの貯水槽を設け、該貯水槽の周側に一つの接続孔を設け、該便器の外側に更に一つのタンクを組設し、該タンクは少なくとも一つの給水管を通じて、該接続孔を接続することで、該タンクと該貯水槽は互いに連通することを特徴とする請求項２記載の携帯型便器。
【請求項６】
前記汚取装置を該便器に組設し、且つ該貯水槽の片側に位置し、且つ該汚取装置は一つのポンプモーターを含み、該ポンプモーターは該貯水槽の片側に組設し、且つ該制御装置と電気接続し、また、該ポンプモーターは少なくとも一つの接続管を通じて、それぞれ該貯水槽及び該便器に連通し、該汚取装置は該接続管が便器と接続する一端に一つのフラッシュノズルを接続することを特徴とする請求項５記載の携帯型便器。
【請求項７】
前記便器の外側に更に一つのタンク及び該汚取装置を組設し、且つ該汚取装置に含まれるのは一つのポンプモーターであり、該ポンプモーターを該便器の片側に組設し、且つ該制御装置と電気接続し、該タンクは少なくとも一つの給水管を通じて、該便器の??孔と接続し、該汚取装置は該給水管と接続する該便器の一端に一つのフラッシュノズルを設けることを特徴とする請求項２記載の携帯型便器。
【請求項８】
更に一つの外付け部品を含み、該外付け部品は一つの組立部品及び一つの容器を含み、該組立部品を該便器の片側に設け、且つ該容器及び該便器と接続し、同時に該汚取装置は一つのポンプモーターを含み、該ポンプモーターは該便器の外側に組設し、且つ該制御装置と電気接続し、該外付け部品は少なくとも一つの給水管を通じて、該便器の??孔と接続し、該汚取装置と該給水管は該便器と接続する一端に一つのフラッシュノズルを設けることを特徴とする請求項２記載の携帯型便器。
【請求項９】
前記便器の頂部に一つの蓋を枢設し、且つ該蓋の片側に一つの密閉リングを設け、該密閉リング及び該蓋は完全に密封し、且つ該便器を蓋合することを特徴とする請求項１記載の携帯型便器。
【請求項１０】
前記便器は中空構造であり、該便器の中空構造の中に一つの該貯水槽を形成することを特徴とする請求項５又は請求項６記載の携帯型便器。